(57)【要約】  本発明は、乾式構造において製造される壁構造用のスタッドフレームのためのスタッドに関し、スタッドは、ウェブと、フランジとを備え、スタッドの断面は、少なくともＵ字形、好ましくはＣ字形を示し、ウェブ幅のセクションは、フランジよりも大きい材料厚さを有することを特徴とする。
2021533288.tif 000002
【特許請求の範囲】
【請求項１】
乾式構造における壁用のスタッドフレームのためのスタッドであって、ウェブと、フランジとを備え、前記スタッドの断面が、少なくともＵ字形、好ましくはＣ字形を示しており、ウェブ幅のセクション（５）が、前記フランジ（３）よりも大きな材料厚さを有することを特徴とする、スタッド。
【請求項２】
前記ウェブセクション（５）は、複数の層から形成されていることを特徴とする、請求項１に記載のスタッド。
【請求項３】
多層ウェブセクション（５）の場合、少なくとも１つのさらなる材料層がウェブ材料に取り付けられていることを特徴とする、請求項２に記載のスタッド。
【請求項４】
前記ウェブ（２）は、一片の材料から形成されていることを特徴とする、請求項１に記載のスタッド。
【請求項５】
前記スタッドの残りの領域（３、４、６）は、より厚い前記ウェブセクション（５）とは異なって形作られており、好ましくは前記残りの領域は、より薄いことを特徴とする、請求項１に記載のスタッド。
【請求項６】
前記ウェブセクション（５）は、前記ウェブセクション全体の中央に配置されており、かつ２つのエッジセクション（６）によって囲まれており、少なくとも１つのエッジセクションは、前記ウェブセクション（５）よりも小さい材料厚さを有することを特徴とする、請求項１〜５の一項以上に記載のスタッド。
【請求項７】
少なくとも１つの移行領域、特に前記エッジセクション（６）のうちの少なくとも１つは、弾性特性を有することを特徴とする、請求項１〜６の一項以上に記載のスタッド。
【請求項８】
前記移行領域、特に前記エッジセクション（６）は、材料変形を有することを特徴とする、請求項７に記載のスタッド。
【請求項９】
前記移行領域、特に前記エッジセクション（６）は、材料の弱体化を有することを特徴とする、請求項７に記載のスタッド。
【請求項１０】
前記移行領域、特に前記エッジセクション（６）は、１つまたは複数の凹部を有することを特徴とする、請求項７に記載のスタッド。
【発明の詳細な説明】
【技術分野】
【０００１】
本発明は、乾式構造において製造される壁構造用のスタッドフレームのためのスタッドに関する。好ましくは、本発明は、防音性を備える壁構造に関する。
【背景技術】
【０００２】
先行技術の金属スタッド（標準のＣ字形またはＵ字形のスタッド）において、これらのスタッドが、より高い防音性を有し、より高い静的要件をも満たす必要がある乾式壁を構築するために使用される場合、目的の対立が生じる。より高い静的要件のためには、より厚い金属板から形成されたスタッドが使用され、これは、スタッドがより硬く、より強い音響結合を示すことも意味する。したがって、静的性能が向上することにより、音響特性が低下する。
【発明の概要】
【発明が解決しようとする課題】
【０００３】
したがって、本発明は、通常よりも高い天井高構造のための十分な静的性能を可能にすると同時に十分な防音性を可能にする、導入部において言及したタイプのスタッドを開示するという目的に基づく。
【課題を解決するための手段】
【０００４】
この目的は、その材料（例えば、好ましくは冷間圧延された金属板）が部分的により厚い金属スタッドによって達成され、すなわち、セクションまたは部分が、より大きな材料厚さを有する。ウェブの領域、少なくともウェブ幅のセクションにおけるスタッド材料は、フランジの領域における材料よりも厚い。ウェブおよびフランジを含むスタッドの断面は、少なくともＵ字形、好ましくはＣ字形を示す。
【０００５】
スタッドは、スタッドフレームを構築するために使用され、スタッドフレームに、好ましくは、セメント質材料、より好ましくは石こう材料に基づく、建築ボードの少なくとも１つの層が固定される。
【０００６】
本発明は、特に荷重下における決定的な破壊基準が「ねじり座屈」である場合に、原則的にウェブ領域における材料厚さにわたって静的要件を満たすことが可能であることを実証する。上記の特徴を有することにより、防音性の深刻な損失を受け入れる必要はない。なぜならば、フランジの材料厚さは比較的薄いままであり、いかなる場合にもウェブの部分よりも薄いからである。フランジの材料厚さがより小さいことにより、（標準的な）スタッドの防音特性が維持される。
【０００７】
良好な遮音性のためには、スタッドのそれぞれの側における建築ボード間の音響的断絶が必要である。最先端技術から、スタッドの全ての部分が多かれ少なかれ等しいまたは一定の材料厚さを有する場合、スタッドの片側だけに建築ボードを取り付けることによってこの問題を解決することが知られている。この場合、壁構造の両側に別々のスタッドが使用される。スタッドの間に空洞または中空のスペースが残っているため、壁の両側のボードは、スタッドを介してではなく、この空洞を介してのみ互いに音響的に結合される。このタイプの構造にはスペースが必要であるが、スペースは常に利用できるわけではない。したがって、両側式壁構造の場合、スタッドの両側に建築ボードを取り付けることが望ましいまたは必須であるという状況が存在する。最先端技術では、同様の寸法および音響特性を有するスタッドが見られる。ただし、これらのスタッドは、全ての静的要件または全ての空間的要件を満たしているわけではない。
【０００８】
本発明によるスタッドでは、スタッドのウェブのみ、好ましくはウェブ幅の一セクションのみがより大きな材料厚さを有し、したがってより強く設計されている。これらの変更により、より高い静的要件を容易に満たすことができることが分かった。驚いたことに、スタッド全体を強化する必要がないことが分かった。
【０００９】
本発明によれば、フランジは比較的薄いままであるため、このスタッドは同時に高い音響的断絶要件も満たす。
【００１０】
強化ウェブは、静的機能の他に、音響上の利点も有する。なぜならば、強化ウェブは、固有振動を受けにくいからである。固有振動は、音響の問題を引き起こす可能性もある。しかし、より厚いまたはより強いウェブの場合、固有振動を、ウェブの曲げモードの固有周波数に対して好ましく離調させることができる。これは、ウェブの幅が大きい場合に特に有利である。例えば、本発明によれば、５０ｍｍ、７５ｍｍおよび１００ｍｍだけでなく、例えば、１５０ｍｍのウェブ幅も使用することができる。これらの寸法は国ごとに変化する可能性があるため、与えられた値は、本発明を特定の値に限定することなく、大きさの一例として理解されるべきである。フランジ領域の典型的な材料厚さは、例えば、０．４５ｍｍ〜約０．７５ｍｍ、好ましくは約０．６ｍｍであるが、これらの寸法自体に限定されない。厚いウェブセクションの材料厚さは、約１．５ｍｍ〜約２．５ｍｍ、好ましくは約２．０ｍｍであり得る。厚いウェブセクションは、好ましくは、スタッドの残りの部分、特にフランジの少なくとも２倍の材料厚さを有する。
【００１１】
本発明の発展形態によれば、ウェブの厚いセクションは、複数の材料層から形成することができる。好ましくは、この目的のために、少なくとも１つのさらなる材料層をウェブ材料に取り付けることができる。固定は、摩擦固定および／またははめ合い法、例えば、リベット留め、溶接、接着、クリンチなどによって行うことができる。
【００１２】
好ましくは、スタッドおよび補強材は、金属板から形成されている。
【００１３】
別の発展形態では、スタッドの全てのセクションが１つの層から構成される、つまり、ウェブは一片の材料から形成されている。つまり、ウェブは、層の厚さが異なるにもかかわらず１つの層のみを有する。これは、より厚いセクションを、スタッドの残りの部分とは異なって、例えばより小さい圧力で圧延することによって達成することができる。これは、スタッドの残りの領域がウェブとは異なる材料厚さを有することを意味する。好ましくは、スタッドの残りの領域の断面はより薄い。このようにして、この発展形態によれば、スタッドを、比較的簡単に、費用効果が高く、正確に製造することができる。
【００１４】
また、ウェブとフランジを別々に、例えば異なる材料から製造し、後でそれらを例えば溶接によって接合することも考慮される。ただし、この手順は、より複雑であり、おそらくより高価である。
【００１５】
本発明のさらなる発展形態において、ウェブは、スタッドの長さに直交するスタッドの断面において見たとき、ウェブ全体の中央に位置する厚いセクションを有する。厚いセクションは、少なくとも１つの薄いエッジセクションによって囲まれている。エッジセクションの幅は０．１ｍｍ超かつ６ｍｍ未満である。遠位側において、エッジセクションはそれぞれのフランジに隣接している。この発展形態は、ウェブとそれぞれのフランジの間の移行領域が強化および硬化されていないため、ここに最大の弾性が維持され、エッジセクションには弾性特性があるという利点を有する。その結果、フランジおよびフランジに取り付けられた建築ボードは、可能な限りウェブから音響的に断絶される。ウェブを介した音の伝達、およびウェブの固有振動の刺激も最小限に抑えられる。
【００１６】
この場合も、単なる例として、また、大きさに関する実施者に対する提案として、ウェブの強化または厚さ増大は、フランジへのウェブの移行部（すなわち、エッジセクション）の手前の約４ｍｍ〜５ｍｍ、好ましくは、例えば４．４ｍｍにおいて終わっている。
【００１７】
本発明によるスタッドの別の発展形態は、ウェブのエッジセクションを含む、ウェブとフランジとの間の移行領域が弾性特性を有することを特徴とする。ウェブのエッジセクション、移行エッジ自体またはフランジを、より高い弾性を得るために変更することができる。この変更は、ウェブおよびフランジの材料厚さが異なることに加えて行うことができる。
【００１８】
フランジ全体をより弾性にするために、実際のフランジ領域において弾性化手段を行うことも可能である。
【００１９】
ウェブのエッジセクションを含む移行領域の弾性特性を高めるための典型的な可能性は、エッジセクションが材料変形を有することである。これは、例えば、スタッドまたはスタッドのセクションの全長にわたって延びるビード形成であり得る。
【００２０】
ウェブのエッジセクションを含む移行領域の弾性特性を改善するための別の例示的な可能性は、エッジセクションが材料変形、特に弱体化を有することである。これは、例えばビードの領域における、材料の弱体化であることができる。
【００２１】
ウェブのエッジセクションを含む移行領域の弾性特性を高める別の典型的な可能性は、エッジセクションが、ウェブ、特にウェブのエッジセクション、またはフランジのエッジセクションにおいて１つまたは複数の凹部を提供することである。特に、これらの凹部は、スタッドの縦断面にわたって延びるスロットまたは穴として形作ることができる。
【００２２】
さらなる発明的特徴がまた生じ得るが、原則的に、単に一例としてみなされるべきであり、発明の主題または発明の保護範囲を限定することを意図するものではない実施形態が、図面に示される。
【図面の簡単な説明】
【００２３】
【図１】本発明によるスタッドの１つの実施形態を部分的に正面から見た断面図を示す。
【発明を実施するための形態】
【００２４】
図１には、様々な領域における異なる材料厚さを示すためにスタッドの断面輪郭が拡大して示されている。スタッドの切断図は、スタッドの幅にわたって一点鎖線１によって中断されて示されている。
【００２５】
スタッドの断面はほぼＣ字形であり、ウェブ２と、ウェブに隣接する２つのフランジ３と、フランジに対してある角度で配置された端部領域４とから形成されている。
【００２６】
図の右側にはスタッドの正面図の一部が示されており、図の左側においてスタッドは切断され、スタッドの前面から長手方向に離れた断面図を示している。
【００２７】
ウェブ２の中央ウェブセクション５は、スタッドの他の部分よりも大きな材料厚さを有する。これは、フランジ３と端部領域４とを曲げる前にこのウェブ５をより弱くかつより厚く圧延することによって達成することができる。
【００２８】
これに代えて、中央ウェブセクション５は、ウェブ２のこの領域において複数の層、好ましくは２つの層を提供することによって形成することができる。材料の追加のストリップをウェブ２に提供し、例えば接着、溶接またはリベット留めによってウェブ２に接合することができる。
【００２９】
ウェブ２のエッジセクション６において、ウェブセクション５の厚さ増大は、それぞれのフランジ３への移行部またはエッジ７の近くで終わっている。結果として、それぞれのエッジセクション６は、中央ウェブセクション５よりも弾性がある。フランジ３は、より弾性であるだけでなく、ウェブ２に弾性的に接続されている。その結果、フランジは、取り付けられた建築ボードの音響振動を吸収することができ、これらの振動をウェブ２へ伝えることがない。したがって、壁の一方の側から他方の側へのウェブ２を介した音響振動の伝達が有効に妨げられるまたは少なくとも大幅に減じられる。また、遮音性に悪影響を与える固有振動によってウェブ２が妥協されるリスクもない。
【００３０】
フランジ３は、材料の凹部によって、例えば材料のスロットによって、より弾性に設計することができる。
【００３１】
同様に、ウェブ２のエッジセクション６もまた、より弾性に設計することができる。この弾性設計は、必ずしもウェブ２のエッジセクション６に限定されるものではなく、追加的または代替的に、移行エッジ７の近くのフランジ３のエッジセクションにおいて実現することができる。ウェブ２のエッジセクション６および／またはフランジ３のエッジセクションは、例えばウェブ２の厚さ増大が製造に関する理由でそれぞれの移行エッジ７まで延びているべきである場合、弾性に設計することができる。
【符号の説明】
【００３２】
１  中断を示す一点鎖線
２  ウェブ
３  フランジ
４  端部領域
５  ウェブのより厚いウェブセクション／より大きな材料厚さを有するウェブのセクション
６  ウェブのエッジセクション
７  ウェブとフランジとの間の移行エッジ
８  ビード
【図１】
2021533288.tif 000003
【国際調査報告】
2021533288.tif 000004
2021533288.tif 000005